(57)【要約】【課題】  ズームレンズの一部のレンズ群を移動させることにより、ズームレンズの焦点距離範囲を長焦点距離側に変位させる機能を有し、高い光学性能かつ小型であるズームレンズ及びそれを有する撮像装置を提供する。【解決手段】  物体側から像側へ順に、第１変倍系と開口絞りと第２変倍系で構成されるズームレンズにおいて、第１変倍系は、ズーミングのためには移動しない正の屈折力の第１レンズ群、ズーミングに際して移動する負の屈折力の第２レンズ群、ズーミングに際して移動する１群以上の変倍レンズ群から構成され、変倍レンズ群は正の合成屈折力を持ち、第２変倍系は、ズーミングのためには移動しない負の屈折力の第Ｎ１レンズ群、ズーミングに際して移動する負の屈折力の第Ｎ２レンズ群、正の屈折力を有する第Ｎ３レンズ群で構成され、第Ｎ２レンズ群が像側に移動することで、全系の焦点距離範囲を長焦点距離側に変位させること。【選択図】  図１
2016109952.tif 000002
【特許請求の範囲】
【請求項１】
物体側から像側へ順に、第１変倍系と開口絞りと第２変倍系で構成されるズームレンズにおいて、
前記第１変倍系は、物体側から像側へ順に、ズーミングのためには移動しない正の屈折力を有する第１レンズ群、ズーミングに際して移動する負の屈折力を有する第２レンズ群、ズーミングに際して移動する１群以上の変倍レンズ群から構成され、該１群以上の変倍レンズ群は正の合成屈折力を有し、
前記第２変倍系は、物体側から像側へ順に、ズーミングのためには移動しない負の屈折力を有する第Ｎ１レンズ群、ズーミングに際して移動する負の屈折力を有する第Ｎ２レンズ群、正の屈折力を有する第Ｎ３レンズ群で構成され、第Ｎ２レンズ群を物体側から像側へ移動することで、前記ズームレンズの焦点距離範囲を長焦点距離側に変位させる、
ことを特徴とするズームレンズ。
【請求項２】
ズーミングに際して前記第Ｎ２レンズ群が移動する際に、前記第Ｎ３レンズ群が移動しないことを特徴とする請求項１に記載のズームレンズ。
【請求項３】
ズーミングに際して前記第Ｎ２レンズ群が移動する際に、前記第Ｎ３レンズ群または第Ｎ３レンズ群の一部が移動することを特徴とする請求項１に記載のズームレンズ。
【請求項４】
無限遠に合焦している状態で無限遠より軸上光束が入射する際の前記第Ｎ１レンズ群の横倍率をβｎ１としたとき、
１．０＜βｎ１＜３．０
を満たすことを特徴とする請求項１乃至３のいずれか１項に記載のズームレンズ。
【請求項５】
前記第Ｎ２レンズ群が最も物体側に配置された状態における前記第２変倍系の焦点距離をｆｎ、前記第Ｎ２レンズ群の焦点距離をｆｎ２としたとき、
−１．５＜ｆｎ２／ｆｎ＜−０．３
を満たすことを特徴とする請求項１乃至４のいずれか１項に記載のズームレンズ。
【請求項６】
前記第Ｎ２レンズ群に含まれる凹レンズの屈折率の平均値をｎ２としたとき、
１．７５＜ｎ２
を満たすことを特徴とする請求項１乃至５のいずれか１項に記載のズームレンズ。
【請求項７】
前記第Ｎ３レンズ群は、マクロ撮影又はフランジバック調整のために光軸方向に可動の第Ｎ３１レンズ群を含み、無限遠より光束が入射する際の該第Ｎ３１レンズ群の横倍率をβｎ３１としたとき、
−０．３０＜βｎ３１＜０．７５
を満たすことを特徴とする請求項１乃至６のいずれか１項に記載のズームレンズ。
【請求項８】
前記第Ｎ１レンズ群または第Ｎ１レンズ群の一部は、光軸に対して垂直な方向の成分を持って移動させて、前記ズームレンズが振動したときの撮影画像のブレを補正する作用を持つことを特徴とする請求項１乃至７のいずれか１項に記載のズームレンズ。
【請求項９】
請求項１乃至８のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、写真用カメラ、ビデオカメラ等の撮像装置には、高ズーム比でしかも高い光学性能を有したズームレンズが要望されている。特に、プロフェッショナルの動画撮影システムとしてのテレビカメラや映画用カメラに装着されるズームレンズには、種々の撮影シーンに対応できるように、広い焦点距離範囲を有することが望まれている。
【０００３】
高ズーム比化を図る方法の一つとして、ズームレンズの焦点距離範囲を変位させることが挙げられる。これを達成するために、ズームレンズのリレー部にさらに変倍系を備えた方式が提案されている。
【０００４】
例えば、特許文献１では物体側から像側へ順に、正の第１レンズ群、負の第２レンズ群、負の第３レンズ群、正の第４レンズ群、負の第５レンズ群、負の第６レンズ群、正の第７レンズ群で構成されたズームレンズが開示されている。第１変倍系として、第２レンズ群と第３レンズ群が移動し、第２変倍系として、第５レンズ群と第６レンズ群が移動することを特徴としている。また、特許文献２では物体側から像側へ順に、フォーカシングレンズ群、ズーミングレンズ群、リレーレンズ群を有し、リレーレンズ群が物体側から像側へ順に正の屈折力、負の屈折力、正の屈折力となる３つのレンズ群で構成されたズームレンズが開示されている。第１変倍系として、ズーミングレンズ群が移動し、第２変倍系として、リレーレンズ群内の負の屈折力のレンズ群が、同一の像面位置となる２位置間に亘って光軸上を移動することを特徴としている。 
【先行技術文献】
【特許文献】
【０００５】
【特許文献１】特開昭４９−６６３５４号公報
【特許文献２】特開平３−１６１７２９号公報
【発明の概要】
【発明が解決しようとする課題】
【０００６】
大口径比、高ズーム比のズームレンズとして、物体側から像側へ順に正の屈折力の第１レンズ群、変倍用の負の屈折力の第２レンズ群、変倍用の正の屈折力の第３レンズ群、正の屈折力の第４レンズ群を配置したポジティブリード型のズームレンズが知られている。このようなズームレンズでは、第４レンズ群に対して収斂で光束が入射する。
ここで、ズームレンズの焦点距離範囲を変位させるために、第４レンズ群にさらに変倍系を備えようとした場合を考える。
【０００７】
特許文献１、２では、第１変倍系の変倍時に移動するレンズ群に対して、次に像側のレンズ群（第Ｎ１レンズ群）は正の屈折力を有している。前述したポジティブリード型のズームレンズの第４レンズ群に対して、特許文献１，２のように、正の屈折力の第Ｎ１レンズ群を配置すると、第２変倍系の変倍時に移動するレンズ群（第Ｎ２レンズ群）へ入射する光束の収斂度がきつくなる。その結果、第Ｎ２レンズ群の移動により、ズームレンズの焦点距離範囲を長焦点距離側に変位させるためには、第Ｎ２レンズ群の屈折力を強くさせる必要があり、高い光学性能を達成することが困難となる。また、第Ｎ２レンズ群の負の屈折力が強くなるため、第Ｎ２レンズ群より像側のレンズ群のレンズ径が増大してしまう。
【０００８】
そこで、本発明は、ズームレンズの一部のレンズ群を移動させることにより、ズームレンズの焦点距離範囲を長焦点距離側に変位させる機能を有し、高い光学性能かつ小型であるズームレンズ及びそれを有する撮像装置の提供を目的とする。また、ズームレンズの焦点距離範囲を１．５倍から３倍程度に長焦点距離側に変位させる機能を有したズームレンズの提供を目的とする。
【課題を解決するための手段】
【０００９】
上記目的を達成するために、本発明のズームレンズ及びそれを有する撮像装置は、物体側から像側へ順に、第１変倍系と開口絞りと第２変倍系で構成されるズームレンズにおいて、前記第１変倍系は、物体側から像側へ順に、ズーミングのためには移動しない正の屈折力を有する第１レンズ群、ズーミングに際して移動する負の屈折力を有する第２レンズ群、ズーミングに際して移動する１群以上の変倍レンズ群から構成され、該変倍レンズ群は正の合成屈折力を有し、前記第２変倍系は、物体側から像側へ順に、ズーミングのためには移動しない負の屈折力を有する第Ｎ１レンズ群、ズーミングに際して移動する負の屈折力を有する第Ｎ２レンズ群、正の屈折力を有する第Ｎ３レンズ群で構成され、第Ｎ２レンズ群が物体側から像側に移動することで、前記ズームレンズの焦点距離範囲を長焦点距離側に変位させる、ことを特徴とする。
【発明の効果】
【００１０】
ズームレンズの一部のレンズ群を移動させることにより、ズームレンズの焦点距離範囲を長焦点距離側に変位させる機能を有し、高い光学性能かつ小型であるズームレンズ及びそれを有する撮像装置が得られる。
【図面の簡単な説明】
【００１１】
【図１】数値実施例１の焦点距離範囲が基準状態における広角端のレンズ断面図
【図２】数値実施例１の焦点距離範囲が基準状態における広角端の縦収差図
【図３】数値実施例１の焦点距離範囲が基準状態における望遠端の縦収差図
【図４】数値実施例１の焦点距離範囲を長焦点距離側に変位させた状態における広角端の縦収差図
【図５】数値実施例１の焦点距離範囲を長焦点距離側に変位させた状態における望遠端の縦収差図
【図６】数値実施例１の焦点距離範囲が基準状態における望遠端で防振をしない時（ａ）と防振を行った時（ｂ）の横収差図
【図７】数値実施例２の焦点距離範囲が基準状態における広角端のレンズ断面図
【図８】数値実施例２の焦点距離範囲が基準状態における広角端の縦収差図
【図９】数値実施例２の焦点距離範囲が基準状態における望遠端の縦収差図
【図１０】数値実施例２の焦点距離範囲を長焦点距離側に変位させた状態における広角端の縦収差図
【図１１】数値実施例２の焦点距離範囲を長焦点距離側に変位させた状態における望遠端の縦収差図
【図１２】数値実施例２の焦点距離範囲が基準状態における望遠端で防振をしない時（ａ）と防振を行った時（ｂ）の横収差図
【図１３】数値実施例３の焦点距離範囲が基準状態における広角端のレンズ断面図
【図１４】数値実施例３の焦点距離範囲が基準状態における広角端の縦収差図
【図１５】数値実施例３の焦点距離範囲が基準状態における望遠端の縦収差図
【図１６】数値実施例３の焦点距離範囲を長焦点距離側に変位させた状態における広角端の縦収差図
【図１７】数値実施例３の焦点距離範囲を長焦点距離側に変位させた状態における望遠端の縦収差図
【図１８】数値実施例４の焦点距離範囲が基準状態における広角端のレンズ断面図
【図１９】数値実施例４の焦点距離範囲が基準状態における広角端の縦収差図
【図２０】数値実施例４の焦点距離範囲が基準状態における望遠端の縦収差図
【図２１】数値実施例４の焦点距離範囲を長焦点距離側に変位させた状態における広角端の縦収差図
【図２２】数値実施例４の焦点距離範囲を長焦点距離側に変位させた状態における望遠端の縦収差図
【図２３】数値実施例５の焦点距離範囲が基準状態における広角端のレンズ断面図
【図２４】数値実施例５の焦点距離範囲が基準状態における広角端の縦収差図
【図２５】数値実施例５の焦点距離範囲が基準状態における望遠端の縦収差図
【図２６】数値実施例５の焦点距離範囲を２倍長焦点距離側に変位させた状態における広角端の縦収差図
【図２７】数値実施例５の焦点距離範囲を２倍長焦点距離側に変位させた状態における望遠端の縦収差図
【図２８】数値実施例５の焦点距離範囲を２．８倍長焦点距離側に変位させた状態における広角端の縦収差図
【図２９】数値実施例５の焦点距離範囲を２．８倍長焦点距離側に変位させた状態における望遠端の縦収差図
【図３０】数値実施例５の焦点距離範囲が基準状態における望遠端で防振をしない時（ａ）と防振を行った時（ｂ）の横収差図
【図３１】数値実施例６の焦点距離範囲が基準状態における広角端のレンズ断面図
【図３２】数値実施例６の焦点距離範囲が基準状態における広角端の縦収差図
【図３３】数値実施例６の焦点距離範囲が基準状態における望遠端の縦収差図
【図３４】数値実施例６の焦点距離範囲を１．４倍長焦点距離側に変位させた状態における広角端の縦収差図
【図３５】数値実施例６の焦点距離範囲を１．４倍長焦点距離側に変位させた状態における望遠端の縦収差図
【図３６】数値実施例６の焦点距離範囲を２倍長焦点距離側に変位させた状態における広角端の縦収差図
【図３７】数数値実施例６の焦点距離範囲を２倍長焦点距離側に変位させた状態における望遠端の縦収差図
【図３８】数値実施例６の焦点距離範囲が基準状態における望遠端で防振をしない時（ａ）と防振を行った時（ｂ）の横収差図
【図３９】数値実施例７の焦点距離範囲が基準状態における広角端のレンズ断面図
【図４０】数値実施例７の焦点距離範囲が基準状態における広角端の縦収差図
【図４１】数値実施例７の焦点距離範囲が基準状態における望遠端の縦収差図
【図４２】数値実施例７の焦点距離範囲を１．３倍長焦点距離側に変位させた状態における広角端の縦収差図
【図４３】数値実施例７の焦点距離範囲を１．３倍長焦点距離側に変位させた状態における望遠端の縦収差図
【図４４】数値実施例７の焦点距離範囲を１．５倍長焦点距離側に変位させた状態における広角端の縦収差図
【図４５】数値実施例７の焦点距離範囲を１．５倍長焦点距離側に変位させた状態における望遠端の縦収差図
【図４６】数値実施例７の焦点距離範囲が基準状態における望遠端で防振をしない時（ａ）と防振を行った時（ｂ）の横収差図
【図４７】本発明の撮像装置の要部概略図
【図４８】数値実施例１の焦点距離範囲が基準状態における広角端の光路図
【発明を実施するための形態】
【００１２】
以下に、本発明の好ましい実施の形態を、添付の図面に基づいて詳細に説明する。
まず、本発明のズームレンズの特徴について、各条件式に沿って説明する。本発明では、焦点距離範囲を長焦点距離側に変位させる機能を有し、高い光学性能かつ小型であるズームレンズを達成するためのレンズ構成を規定している。
【００１３】
本発明のズームレンズは、物体側から像側へ順に、第１変倍系と開口絞りと第２変倍系とから構成される。第１変倍系は、ズーミングのためには移動しない正の屈折力の第１レンズ群、ズーミングに際して移動する負の屈折力の第２レンズ群、ズーミングに際して移動する少なくとも１群以上の変倍レンズ群から構成され、変倍レンズ群は正の合成屈折力を有する。第２変倍系は、ズーミングのためには移動しない負の屈折力の第Ｎ１レンズ群、ズーミングに際して移動する負の屈折力の第Ｎ２レンズ群、正の第Ｎ３レンズ群で構成され、第Ｎ２レンズ群が像側に移動することで、全系の焦点距離範囲を長焦点距離側に変位させることを特徴とする。
【００１４】
本発明において、前述のレンズ構成を採用した場合の光学的採用について、図１および図４８を参照して説明する。図１は、本発明の実施例１（数値実施例１）であるズームレンズの断面図、図４８は、第２変倍系付近を拡大した光路図を示している。第１変倍系は、物体側から像側へ順に、正の屈折力の第１レンズ群（フォーカスレンズ群）Ｌ１を有し、広角端から望遠端へのズーミングに際して、物体側から像側へ移動するズーミング用の負の屈折力の第２レンズ群（バリエータ）Ｌ２を有している。さらに、第２群Ｌ２の移動に連動して光軸上を、広角端から望遠端へのズーミングに対して非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第４レンズ群Ｌ４は、第４レンズ群Ｌ４に入射された収斂の光束に対して、第４レンズ群Ｌ４の像点位置を適切に設定している。この像点位置が適切でない場合、ズームレンズの焦点距離範囲を長焦点距離側に変位させる際の第５レンズ群Ｌ５の移動量抑制と高い光学性能の両立が困難となる。第５レンズ群Ｌ５は、物体側から像側へ移動させることで第５レンズ群Ｌ５の物点（第４レンズの像点）に近づき、ズームレンズの焦点距離範囲を長焦点距離側に変位させる効果を持つ。また、第６レンズ群Ｌ６は、第５レンズ群Ｌ５から射出される発散の光束を撮像面Ｉに結像させる効果を持つ。このように、第１変倍系のレンズ構成に対して、第２変倍系のレンズ構成を適切に設定することで、ズームレンズの焦点距離範囲を長焦点距離側に変位させる機能を有し、高い光学性能かつ小型であるズームレンズを達成している。
【００１５】
さらなる本発明のズームレンズの態様として、第Ｎ２レンズ群がズーミングに際して移動する際に、第Ｎ３レンズ群が移動しないことを特徴としている。ここで、ズームレンズの焦点距離範囲が基準状態（焦点距離範囲が最も短焦点距離側の状態。以下、同様に記載する）（図４８（ａ））における広角端の焦点距離をｆ、長焦点距離側に変位させた状態（図４８（ｂ））における広角端の焦点距離をｆｅｘとしたとき、焦点距離範囲の変更倍率ｍは、以下の式で表わされる。
ｍ＝ｆｅｘ／ｆ      ・・・（５）
【００１６】
ズームレンズの焦点距離範囲が基準状態と長焦点距離側に変位させた状態における、無限遠に合焦している状態で無限遠より軸上光束が入射する際の第Ｎ２レンズ群の横倍率をそれぞれβｎ２ｗ、βｎ２ｔとする。ここで、以下の式を満たすように、第２変倍系の屈折力配置を設定すると、第Ｎ２レンズ群を光軸に沿って二位置間に亘って移動させた際に、第Ｎ３レンズ群を移動させることなく、同一の撮像面上に結像させることが可能となる。第Ｎ２レンズ群を光軸に沿って二位置間に亘って移動させるだけで、ズームレンズの焦点距離範囲を長焦点距離側に変位できるため、操作性や機構的構造に優れる。
βｎ２ｗ＝−１／√ｍ      ・・・（６）
βｎ２ｔ＝−√ｍ      ・・・（７）
【００１７】
さらなる本発明のズームレンズの態様として、第Ｎ２レンズ群がズーミング時に移動する際に、第Ｎ３レンズ群または第Ｎ３レンズ群の一部が移動することを特徴としている。第Ｎ２レンズ群の移動による結像面の変動を第Ｎ３レンズ群の移動により補正するため、第Ｎ２レンズ群が可動範囲のどこに位置していようが、同一の撮像面上に結像させることが可能となる。第Ｎ２レンズ群がズーミング時に移動する際に、第Ｎ３レンズ群が移動しない場合は、焦点距離範囲の変更倍率は一段階となるが、第Ｎ３レンズ群または第Ｎ３レンズ群の一部が移動させる場合は、ズームレンズの焦点距離範囲を無段階に変位させることが可能となる。
【００１８】
さらなる本発明のズームレンズの態様として、第Ｎ１群の横倍率を規定している。無限遠に合焦している状態で無限遠より軸上光束が入射する際の前記第Ｎ１レンズ群の横倍率をβｎ１としたとき、
１．０＜βｎ１＜３．０      ・・・（１）
を満たしている。（１）式を満たすことで、ズームレンズの小型化と高い光学性能を達成している。（１）式の上限の条件が満たされないと、第Ｎ１レンズ群からの射出光束の収斂度が緩くなり、第Ｎ２レンズ群の物点が第Ｎ２レンズ群から離れる。その結果、ズームレンズの焦点距離範囲を長焦点距離側に変位させる際の第Ｎ２レンズ群の移動量が大きくなり、ズームレンズの小型化が困難となる。（１）式の下限の条件が満たされないと、第Ｎ１レンズ群からの射出光束の収斂度がきつくなり、ズームレンズの焦点距離範囲を長焦点距離側に変位させるためには、第Ｎ２レンズ群の屈折力を強くさせなければならない。その結果、収差の絶対量が増加するだけでなく、高次の項の収差が多く発生する等、収差補正が困難になり、高い光学性能を達成することが困難となる。更に好ましくは、（１）式は次の如く設定するのが良い。
１．０５＜βｎ１＜２．５０      ・・・（１ａ）
【００１９】
さらなる本発明のズームレンズの態様として、第２変倍系の焦点距離と第Ｎ２レンズ群の焦点距離の比を規定している。第Ｎ２レンズ群が最も物体側に配置された状態における第２変倍系の焦点距離をｆｎ、第Ｎ２レンズ群の焦点距離をｆｎ２としたとき、
−１．５＜ｆｎ２／ｆｎ＜−０．３          ・・・（２）
を満たしている。（２）式を満たすことで、ズームレンズの小型化と高い光学性能を達成している。（２）式の上限の条件が満たされないと、ズームレンズの焦点距離範囲を長焦点距離側に変位させる際の第Ｎ２レンズ群の移動量が大きくなり、ズームレンズの小型化が困難となる。（２）式の下限の条件が満たされないと、第Ｎ２レンズ群の屈折力が強くなる。その結果、収差の絶対量が増加するだけでなく、高次の項の収差が多く発生する等、収差補正が困難になり、高い光学性能を達成することが困難となる。更に好ましくは、（２）式は次の如く設定するのが良い。
−１．２０＜ｆｎ２／ｆｎ＜−０．４５      ・・・（２ａ）
【００２０】
さらなる本発明のズームレンズの態様として、第Ｎ２レンズ群を構成している凹レンズに使用する光学材料の屈折率を規定している。第Ｎ２レンズ群に含まれる凹レンズの屈折率の平均値をｎ２としたとき、
１．７５＜ｎ２      ・・・（３）
を満たしている。（３）式を満たすことで、高い光学性能を達成している。（３）式の下限の条件が満たされないと、比較的強い屈折力を有している第Ｎ２レンズに対して、第Ｎ２レンズ群を構成する凹レンズの屈折率が低くなるため、各レンズの曲率が強くなり、高次の項の収差が多く発生する等、収差補正が困難となる。更に好ましくは、（３）式は次の如く設定するのが良い。
１．８０＜ｎ２＜２．１０      ・・・（３ａ）
【００２１】
さらなる本発明のズームレンズの態様として、第Ｎ３レンズ群の一部でマクロ撮影又はフランジバック調整のために光軸方向に可動させることを規定している。第Ｎ３レンズ群は、マクロ撮影又はフランジバック調整のために光軸方向に可動の第Ｎ３１レンズ群を含み、無限遠より光束が入射する際の第Ｎ３１レンズ群の横倍率をβｎ３１としたとき、
−０．３０＜βｎ３１＜０．７５      ・・・（４）
を満たしている。（４）式は第Ｎ３１レンズ群の横倍率を規定している。（４）式を満たすことで、第Ｎ３１レンズ群にマクロ撮影やフランジバック調整を行う際に適度なバックフォーカスへの位置敏感度を有することと高い光学性能を達成している。ここで、第Ｎ３１レンズ群の光軸方向への単位移動量当たりのバックフォーカス変化量をｓｋｎ３１とすると、ｓｋｎ３１は概ね以下の式で表される。
ｓｋｎ３１＝１−βｎ２2      ・・・（８）
【００２２】
（４）式の上限が満たされないと、（８）式のｓｋｎ２の値が小さくなり、第Ｎ３１レンズ群に適度なバックフォーカスへの位置敏感度を有することが困難となる。その結果、マクロ撮影やフランジバック調整を行う際の第Ｎ３１レンズ群の光軸方向への移動量が大きくなり、第２変倍系の大型化を招く。（４）式の下限が満たされないと、第Ｎ３１レンズ群への入射光束が発散になり、第Ｎ３１レンズ群のレンズ径が大きくなる。そのため、第Ｎ３１レンズ群を構成するレンズの屈折力が強くなり、高次収差の補正が困難となる。更に好ましくは、（４）式は次の如く設定するのが良い。
−０．２０＜βｎ３１＜０．７０      ・・・（４ａ）
【００２３】
さらなる本発明のズームレンズの態様として、第２変倍系の中で、最も物体側のレンズ群である第Ｎ１レンズ群または第Ｎ１レンズの一部を防振群に設定することを規定している。第Ｎ１レンズ群またはＮ１レンズ群の一部は、光軸に対して垂直な方向の成分を持って移動させて、ズームレンズの全系が振動したときの撮影画像のブレを補正する作用を持つことを特徴としている。
【００２４】
第２変倍系のズーミング時に移動するレンズ群である第Ｎ２レンズ群より物体側のレンズ群である第Ｎ１レンズ群または第Ｎ１群の一部を防振群に設定している。ズームレンズの焦点距離範囲を基準状態と長焦点距離側に変位させる前後で、防振群の制御の変更を不要にしている。焦点距離範囲を変位させる前後で、防振群より物体側の配置は変化しないため、所定の補正角を得るための防振群の偏心量は変化せず、防振群の制御を変える必要が無い。
【００２５】
さらに、本発明の撮像装置は、各実施例のズームレンズとズームレンズによって形成された像を受光する所定の有効撮像範囲を有する固体撮像素子を有することを特徴とする。
【００２６】
以下に本発明のズームレンズの具体的な構成について、実施例１〜７に相当する数値実施例１〜７のレンズ構成の特徴により説明する。
【実施例１】
【００２７】
図１は本発明の実施例１（数値実施例１）であるズームレンズにおいて、広角端で無限遠に合焦しているときのレンズ断面図である。図２と図３は、数値実施例１の焦点距離範囲が基準状態における広角端と望遠端の縦収差図、図４と図５は、数値実施例１の焦点距離範囲を長焦点距離側に変位させた状態における広角端と望遠端の縦収差図である。いずれの収差図も、１３ｍの物体距離に合焦しているときの縦収差図である。また、焦点距離の値は、後述する数値実施例をｍｍ単位で表したときの値である。これは以下の数値実施例においても、全て同じである。
【００２８】
図１において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群（バリエータ）Ｌ２を有している。さらに、第２レンズ群Ｌ２の移動に連動して光軸上を広角端から望遠端へのズーミングに対して非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第１変倍系と第２変倍系は、互いに独立で変倍系を構成している。
【００２９】
ＳＰは開口絞りであり、第４レンズ群Ｌ４の物体側に配置されている。Ｐは色分解光学系や光学フィルタであり、ガラスブロックとして示している。Ｉは撮像面であり、固体撮像素子の撮像面に相当する。
【００３０】
縦収差図において、球面収差はｅ線（実線）、ｇ線（２点鎖線）を示している。非点収差はｅ線のメリディオナル像面（ｍｅｒｉ）（点線）とサジタル像面（Ｓａｇｉ）（実線）を示している。倍率色収差はｇ線（２点鎖線）によって表している。ＦｎｏはＦナンバー、ωは半画角を表す。横収差はｅ線のメリディオナル像面（ｍｅｒｉ）（実線）、ｅ線のサジタル像面（Ｓａｇｉ）（点線）、ｇ線（２点鎖線）を表している。
【００３１】
縦収差図では、球面収差は１．０ｍｍ、非点収差は１．０ｍｍ、歪曲は１０％、倍率色収差は０．１ｍｍのスケールで描かれている。横収差は、０．１ｍｍのスケールで描かれている。なお、以下の各実施例において広角端と望遠端は、ズーミング用の第２レンズ群Ｌ２が機構に対して光軸上を移動可能な範囲の両端に位置したときのズーム位置を指す。
【００３２】
次に、本実施例における第１レンズ群Ｌ１から第６レンズ群Ｌ６について説明する。第１レンズ群Ｌ１は第１面から第１０面に対応する。第１レンズ群Ｌ１は、物体側から像側へ順に、フォーカシングのためには移動しない第１１レンズ群Ｌ１１と無限遠物体から近距離物体へのフォーカシングに際して物体側に繰り出すことでフォーカシングを行う第１２レンズ群Ｌ１２から構成される。第２レンズ群Ｌ２は第１１面から第１７面に対応し、凸レンズと凹レンズを含む４つのレンズより構成されている。第３レンズ群Ｌ３は第１８面から第２６面に対応し、凸レンズと凹レンズを含む５つのレンズより構成されている。
【００３３】
第４レンズ群Ｌ４は第２８面から第３７面に対応する。第４レンズ群Ｌ４は、物体側から像側へ順に、両凹レンズＧ１、物体側に凹のメニスカス凸レンズＧ２、両凹レンズＧ３、像側に凸のメニスカス凹レンズＧ４、両凸レンズＧ５から構成される。第５レンズ群Ｌ５は第３８面から第４５面に対応する。第５レンズ群Ｌ５は、物体側から像側へ順に、物体側に凹のメニスカス凸レンズＧ６と像側に凸のメニスカス凹レンズＧ７との接合レンズ、両凹レンズＧ８と両凸レンズＧ９との接合レンズ、両凹レンズＧ１０から構成される。第６レンズ群は、第４６面から第５２面に対応する。第６レンズ群Ｌ６は、物体側から像側へ順に、両凸レンズＧ１１、両凸レンズＧ１２、両凸レンズＧ１３と像側に凸のメニスカス凹レンズＧ１４との接合レンズから構成される。
【００３４】
本数値実施例では、第５レンズ群Ｌ５を光軸に沿って二位置間に亘って移動させることで、ズームレンズの焦点距離範囲を２倍長焦点距離側に変位させている。また、第４レンズ群Ｌ４のＧ１乃至Ｇ３は防振群であり、Ｇ１乃至Ｇ３を光軸に対して垂直な方向の成分を持って移動させて、ズームレンズの全系が振動したときの撮影画像のブレを補正している。図６は、本数値実施例の焦点距離範囲が基準状態における望遠端で防振をしない時と防振群を光軸に対し垂直方向に１．５ｍｍ偏心させた時の横収差図である。いずれの収差図も、１３ｍの物体距離に合焦しているときの横収差図である。さらに、第６レンズ群Ｌ６のＧ１２乃至Ｇ１４を光軸方向に可動とすることで、マクロ撮影又はフランジバック調整を行うことが可能である。
【００３５】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【００３６】
ここで、本発明の防振群の有効径は、防振群の偏心量を、防振を行わない場合の有効径に足し合わせた値としている。本実施例では、光軸に対して垂直な方向に１．５ｍｍ偏心させているため、本実施例の防振群の有効径は、本来の有効径に３．０ｍｍを加えた値に決定されている。数値実施例２以降の数値実施例に関しても、同様な考え方で防振群の有効径が決定されている。
【００３７】
以下に本発明の実施例１に対応する数値実施例１を示す。各数値実施例においていずれも、ｉは物体側から像側への面の順序を示し、ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。ＢＦは空気換算のバックフォーカスである。最後の３つの面は、フィルタ等のガラスブロックである。
【００３８】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ３、Ａ５、Ａ７、Ａ９、Ａ１１をそれぞれ非球面係数としたとき、次式で表している。また、「ｅ−Ｚ」は「×１０-Z」を意味する。
【００３９】
【数１】
2016109952.tif 000003
【実施例２】
【００４０】
図７は本発明の実施例２（数値実施例２）であるズームレンズにおいて、広角端で無限遠に合焦しているときのレンズ断面図である。図８と図９は、数値実施例２の焦点距離範囲が基準状態における広角端と望遠端の縦収差図、図１０と図１１は、数値実施例２の焦点距離範囲を長焦点距離側に変位させた状態における広角端と望遠端の縦収差図である。いずれの収差図も、１３ｍの物体距離に合焦しているときの縦収差図である。図７において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群Ｌ２、正の屈折力の第３レンズ群を有している。さらに、第２レンズ群Ｌ２、第３レンズ群Ｌ３の移動に連動して光軸上を非直線的に移動し、ズーミングに伴う像面変動を補正する正の屈折力の第４レンズ群Ｌ４を有している。第３レンズ群Ｌ３と第４レンズ群Ｌ４は正の合成屈折力（第３レンズ群Ｌ３と第４レンズ群の全体の屈折力）を有する。第２変倍系は、物体側から像側へ順に、負の屈折力の第５レンズ群Ｌ５（第Ｎ１レンズ群）、焦点距離範囲を長焦点距離側に変位させるために移動する負の屈折力の第６レンズ群Ｌ６（第Ｎ２レンズ群）、正の屈折力の第７レンズ群Ｌ７（第Ｎ３レンズ群）を有している。第１変倍系と第２変倍系は、互いに独立で変倍系を構成している。次に、本実施例における第１レンズ群Ｌ１から第７レンズ群Ｌ７について説明する。第１レンズ群Ｌ１は第１面から第１０面に対応する。第１レンズ群Ｌ１は、物体側から像側へ順に、フォーカシングのためには移動しない第１１レンズ群Ｌ１１と無限遠物体から近距離物体へのフォーカシングに際して物体側に繰り出すことでフォーカシングする第１２レンズ群Ｌ１２から構成される。第２レンズ群Ｌ２は第１１面から第１７面に対応し、凸レンズと凹レンズを含む４つのレンズより構成されている。第３レンズ群Ｌ３は第１８面から第２４面に対応し、凸レンズと凹レンズを含む４つのレンズより構成されている。第４レンズ群Ｌ４は第２５面から第２７面に対応し、凸レンズと凹レンズを含む２つのレンズより構成されている。
【００４１】
第５レンズ群Ｌ５は第２９面から第３８面に対応する。第５レンズ群Ｌ５は、物体側から像側へ順に、両凹レンズＧ１、物体側に凹のメニスカス凸レンズＧ２、両凹レンズＧ３、両凸レンズＧ４、両凹レンズＧ５から構成される。第６レンズ群Ｌ６は第３９面から第４６面に対応する。第６レンズ群Ｌ６は、物体側から像側へ順に、物体側に凹のメニスカス凸レンズＧ６と像側に凸のメニスカス凹レンズＧ７との接合レンズ、両凹レンズＧ８と両凸レンズＧ９との接合レンズ、両凹レンズＧ１０から構成される。第７レンズ群は、第４７面から第５３面に対応する。第７レンズ群Ｌ７は、物体側から像側へ順に、両凸レンズＧ１１、両凸レンズＧ１２、両凸レンズＧ１３と像側に凸のメニスカス凹レンズＧ１４との接合レンズから構成される。
【００４２】
本数値実施例では、第６レンズ群Ｌ６を光軸に沿って二位置間に亘って移動させることで、ズームレンズの焦点距離範囲を２倍長焦点距離側に変位させている。また、第５レンズ群Ｌ５のＧ１乃至Ｇ３は防振群であり、Ｇ１乃至Ｇ３を光軸に対して垂直な方向の成分を持って移動させて、ズームレンズの全系が振動したときの撮影画像のブレを補正している。図１２は、本数値実施例の焦点距離範囲が基準状態における望遠端で防振をしない時と防振群を光軸に対し垂直方向に１．５ｍｍ偏心させた時の横収差図である。いずれの収差図も、１３ｍの物体距離に合焦しているときの横収差図である。さらに、第７レンズ群Ｌ７のＧ１２乃至Ｇ１４を光軸方向に可動させることで、マクロ撮影又はフランジバック調整を行うことが可能である。
【００４３】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【実施例３】
【００４４】
図１３は本発明の実施例３（数値実施例３）であるズームレンズにおいて、広角端で無限遠に合焦しているときのレンズ断面図である。図１４と図１５は、数値実施例３の焦点距離範囲が基準状態における広角端と望遠端の縦収差図、図１６と図１７は、数値実施例３の焦点距離範囲を長焦点距離側に変位させた状態における広角端と望遠端の縦収差図である。いずれの収差図も、３ｍの物体距離に合焦しているときの縦収差図である。図１３において、第１変倍系は、物体側から像側へ順に、正の屈折力の第１レンズ群Ｌ１を有し、広角端から望遠端へのズーミングに際して、像側へ移動するズーミング用の負の屈折力の第２レンズ群Ｌ２、正の屈折力の第３レンズ群を有している。さらに、第２レンズ群Ｌ２、第３レンズ群Ｌ３の移動に連動して光軸上を非直線的に移動し、ズーミングに伴う像面変動を補正する正の屈折力の第４レンズ群Ｌ４を有している。第３レンズ群Ｌ３と第４レンズ群Ｌ４は正の合成屈折力（第３レンズ群Ｌ３と第４レンズ群の全体の屈折力）を有する。第２変倍系は、物体側から像側へ順に、負の屈折力の第５レンズ群Ｌ５（第Ｎ１レンズ群）、焦点距離範囲を長焦点距離側に変位させるために移動する負の屈折力の第６レンズ群Ｌ６（第Ｎ２レンズ群）、正の屈折力の第７レンズ群Ｌ７（第Ｎ３レンズ群）を有している。第１変倍系と第２変倍系は、互いに独立で変倍系を構成している。次に、本実施例における第１レンズ群Ｌ１から第７レンズ群Ｌ７について説明する。第１レンズ群Ｌ１は第１面から第８面に対応し、凸レンズと凹レンズを含む４つのレンズより構成されている。第２レンズ群Ｌ２は第９面から第１５面に対応し、凸レンズと凹レンズを含む４つのレンズより構成されている。第３レンズ群Ｌ３は第１６面から第１９面に対応し、凸レンズと凹レンズを含む２つのレンズより構成されている。第４レンズ群Ｌ４は第２０面から第２４面に対応し、凸レンズと凹レンズを含む３つのレンズより構成されている。また、第４レンズ群Ｌ４で、無限遠物体から近距離物体へのフォーカシングを行っている。
【００４５】
第５レンズ群Ｌ４は第２６面から第３４面に対応する。第５レンズ群Ｌ５は、物体側から像側へ順に、両凹レンズＧ１、両凸レンズＧ２、両凹レンズＧ３、両凹レンズＧ４と両凸レンズＧ５との接合レンズから構成される。第６レンズ群Ｌ６は第３５面から第３９面に対応する。第６レンズ群Ｌ６は、物体側から像側へ順に、両凹レンズＧ６と像側に凹のメニスカス凸レンズＧ７との接合レンズ、両凹レンズＧ８から構成される。第７レンズ群Ｌ７は第４０面から第４８面に対応する。第７レンズ群Ｌ７は、物体側から像側へ順に、物体側に凹のメニスカス凸レンズＧ９、物体側に凹のメニスカス凸レンズＧ１０、両凸レンズＧ１１、両凸レンズＧ１２と像側に凸のメニスカス凹レンズＧ１３との接合レンズから構成される。
【００４６】
本数値実施例では、第６レンズ群Ｌ６を光軸に沿って二位置間に亘って移動させることで、ズームレンズの焦点距離範囲を２倍長焦点距離側に変位させている。また、第６レンズ群Ｌ６のＧ１１乃至Ｇ１３を光軸方向に可動させることで、マクロ撮影又はフランジバック調整を行うことが可能である。
【００４７】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【実施例４】
【００４８】
図１８は本発明の実施例４（数値実施例４）であるズームレンズにおいて、広角端で無限遠に合焦しているときのレンズ断面図である。図１９と図２０は、数値実施例４の焦点距離範囲が基準状態における広角端と望遠端の縦収差図、図２１と図２２は、数値実施例４の焦点距離範囲を長焦点距離側に変位させた状態における広角端と望遠端の縦収差図である。いずれの収差図も、２ｍの物体距離に合焦しているときの縦収差図である。図１８において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群（バリエータ）Ｌ２を有している。また、第２レンズ群Ｌ２の移動に連動して光軸上を非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第１変倍系と第２変倍系は、互いに独立で変倍系を構成している。次に、本実施例における第１レンズ群Ｌ１から第６レンズ群Ｌ６について説明する。第１レンズ群Ｌ１は第１面から第１７面に対応する。第１レンズ群Ｌ１は、物体側から像側へ順に、フォーカシングのためには移動しない負の屈折力の第１１レンズ群Ｌ１１と無限遠物体から近距離物体へのフォーカシングに際して像側に繰り出す正の屈折力の第１２レンズ群Ｌ１２、フォーカシングのためには移動しない正の屈折力の第１３レンズ群Ｌ１３で構成される。第２レンズ群Ｌ２は第１７面から第２６面に対応し、凸レンズと凹レンズを含む５つのレンズより構成されている。第３レンズ群Ｌ３は第２７面から第３６面に対応し、凸レンズと凹レンズを含む６つのレンズより構成されている。
【００４９】
第４レンズ群Ｌ４は第３８面から第４４面に対応する。第４レンズ群Ｌ４は、物体側から像側へ順に、両凹レンズＧ１、物体側に凹のメニスカス凸レンズＧ２、両凹レンズＧ３と両凸レンズＧ４との接合レンズから構成される。第５レンズ群Ｌ５は第４５面から第５２面に対応する。第５レンズ群Ｌ５は、物体側から像側へ順に、物体側に凹のメニスカス凸レンズＧ５と両凹レンズＧ６との接合レンズ、両凹レンズＧ７と両凸レンズＧ８との接合レンズ、両凹レンズＧ９から構成される。第６レンズ群は、第５３面から第６１面に対応する。第６レンズ群Ｌ６は、物体側から像側へ順に、両凸レンズＧ１０、像側に凹のメニスカス凸レンズＧ１１、両凸レンズＧ１２と像側に凸のメニスカス凹レンズＧ１３との接合レンズ、像側の凹のメニスカス凸レンズＧ１４から構成される。
【００５０】
本数値実施例では、第５レンズ群Ｌ５を光軸に沿って二位置間に亘って移動させることで、ズームレンズの焦点距離範囲を２倍長焦点距離側に変位させている。また、第６レンズ群Ｌ６のＧ１１乃至Ｇ１４を光軸方向に可動させることで、マクロ撮影又はフランジバック調整を行うことが可能である。本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【実施例５】
【００５１】
図２３は本発明の実施例５（数値実施例５）であるズームレンズにおいて、広角端で無限遠に合焦しているときのレンズ断面図である。図２４と図２５は、数値実施例５の焦点距離範囲が基準状態における広角端と望遠端の縦収差図、図２６と図２７は、数値実施例５の焦点距離範囲を２倍長焦点距離側に変位させた状態における広角端と望遠端の縦収差図である。図２８と図２９は、数値実施例５の焦点距離範囲を２．８倍長焦点距離側に変位させた状態における広角端と望遠端の縦収差図である。いずれの収差図も、１３ｍの物体距離に合焦しているときの縦収差図である。
【００５２】
図２３において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群（バリエータ）Ｌ２を有している。さらに、第２レンズ群Ｌ２の移動に連動して光軸上を非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第６レンズ群Ｌ６は、第５レンズ群Ｌ５の移動に連動して光軸上を移動する第６１レンズ群Ｌ６１を含んでいる。第１変倍系と第２変倍系は、互いに独立で変倍系を構成している。
【００５３】
次に、本実施例における第１レンズ群Ｌ１から第６レンズ群Ｌ６について説明する。第１レンズ群Ｌ１は第１面から第１０面に対応する。第１レンズ群Ｌ１は、物体側から像側へ順に、フォーカシングのためには移動しない第１１レンズ群Ｌ１１と無限遠物体から近距離物体へのフォーカシングに際して物体側に繰り出すことでフォーカシングを行う第１２レンズ群Ｌ１２から構成される。第２レンズ群Ｌ２は第１１面から第１７面に対応し、凸レンズと凹レンズを含む４つのレンズより構成されている。第３レンズ群Ｌ３は第１８面から第２６面に対応し、凸レンズと凹レンズを含む５つのレンズより構成されている。
【００５４】
第４レンズ群Ｌ４は第２８面から第３７面に対応する。第４レンズ群Ｌ４は、物体側から像側へ順に、両凹レンズＧ１、物体側に凹のメニスカス凸レンズＧ２、両凹レンズＧ３、両凸レンズＧ４、像側に凸のメニスカス凹レンズＧ５から構成される。第５レンズ群Ｌ５は第３８面から第４５面に対応する。第５レンズ群Ｌ５は、物体側から像側へ順に、両凸レンズＧ６と像側に凸のメニスカス凹レンズＧ７との接合レンズ、両凹レンズＧ８と像側に凹のメニスカス凸レンズＧ９との接合レンズ、両凹レンズＧ１０から構成される。第６レンズ群は、第４６面から第５６面に対応する。第６レンズ群Ｌ６は、物体側から像側へ順に、両凸レンズＧ１１、像側の凸のメニスカス凹レンズＧ１２と両凸レンズＧ１３との接合レンズ、両凸レンズＧ１４、像側に凹のメニスカス凸レンズＧ１５と像側に凸のメニスカス凹レンズＧ１６から構成される。第６１レンズ群Ｌ６１は、Ｇ１１乃至Ｇ１４で構成される。
【００５５】
本数値実施例では、第５レンズ群Ｌ５を光軸方向に移動させることで、ズームレンズの焦点距離範囲を長焦点距離側に変位させている。特に、本数値実施例では、第５レンズ群Ｌ５の移動に連動して第６１レンズ群Ｌ６１を光軸方向に移動させることで、ズームレンズの焦点距離範囲を、１倍から２．８倍まで間で無段階に長焦点距離化させることを可能にしている。また、第４レンズ群Ｌ４のＧ１乃至Ｇ３は防振群であり、Ｇ１乃至Ｇ３を光軸に対して垂直な方向の成分を持って移動させて、ズームレンズの全系が振動したときの撮影画像のブレを補正している。図３０は、本数値実施例の焦点距離範囲が基準状態における望遠端で防振をしない時と防振群を光軸に対し垂直方向に１．５ｍｍ偏心させた時の横収差図である。いずれの収差図も、１３ｍの物体距離に合焦しているときの横収差図である。さらに、第６レンズ群Ｌ６のＧ１５、Ｇ１６を光軸方向に可動させることで、マクロ撮影又はフランジバック調整を行うことが可能である。
【００５６】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【実施例６】
【００５７】
図３１は本発明の実施例６（数値実施例６）であるズームレンズにおいて、広角端で無限遠に合焦しているときのレンズ断面図である。図３２と図３３は、数値実施例６の焦点距離範囲が基準状態における広角端と望遠端の縦収差図、図３４と図３５は、数値実施例６の焦点距離範囲を１．４倍長焦点距離側に変位させた状態における広角端と望遠端の縦収差図である。図３６と図３７は、数値実施例６の焦点距離範囲を２倍長焦点距離側に変位させた状態における広角端と望遠端の縦収差図である。いずれの収差図も、１３ｍの物体距離に合焦しているときの縦収差図である。
【００５８】
図３１において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群（バリエータ）Ｌ２を有している。さらに、第２レンズ群Ｌ２の移動に連動して光軸上を非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第６レンズ群Ｌ６は、第５レンズ群Ｌ５の移動に連動して光軸上を移動する第６１レンズ群Ｌ６１を含んでいる。第１変倍系と第２変倍系は、互いに独立で変倍系を構成している。
【００５９】
次に、本実施例における第１レンズ群Ｌ１から第６レンズ群Ｌ６について説明する。第１レンズ群Ｌ１は第１面から第１０面に対応する。第１レンズ群Ｌ１は、物体側から像側へ順に、フォーカシングのためには移動しない第１１レンズ群Ｌ１１と無限遠物体から近距離物体へのフォーカシングに際して物体側に繰り出すことでフォーカシングを行う第１２レンズ群Ｌ１２から構成される。第２レンズ群Ｌ２は第１１面から第１７面に対応し、凸レンズと凹レンズを含む４つのレンズより構成されている。第３レンズ群Ｌ３は第１８面から第２６面に対応し、凸レンズと凹レンズを含む５つのレンズより構成されている。
【００６０】
第４レンズ群Ｌ４は第２８面から第３３面に対応する。第４レンズ群Ｌ４は、物体側から像側へ順に、両凹レンズＧ１、物体側に凹のメニスカス凸レンズＧ２、両凹レンズＧ３から構成される。第５レンズ群Ｌ５は第３４面から第４１面に対応する。第５レンズ群Ｌ５は、物体側から像側へ順に、両凸レンズＧ４と像側に凸のメニスカス凹レンズＧ５との接合レンズ、両凹レンズＧ６と像側に凹のメニスカス凸レンズＧ７との接合レンズ、両凹レンズＧ８から構成される。第６レンズ群は、第４２面から第５２面に対応する。第６レンズ群Ｌ６は、物体側から像側へ順に、両凸レンズＧ９、両凹レンズＧ１０と両凸レンズＧ１１との接合レンズ、像側に凹のメニスカス凸レンズＧ１２、両凸レンズＧ１３と像側に凸のメニスカス凹レンズＧ１４から構成される。第６１レンズ群Ｌ６１は、Ｇ９乃至Ｇ１２で構成される。
【００６１】
本数値実施例では、第５レンズ群Ｌ５を光軸方向に移動させることで、ズームレンズの焦点距離範囲を長焦点距離側に変位させている。特に、本数値実施例では、第５レンズ群Ｌ５の移動に連動して第６１レンズ群Ｌ６１を光軸方向に移動させることで、ズームレンズの焦点距離範囲を、１倍から２倍まで間で無段階に長焦点距離化させることを可能にしている。また、第４レンズ群Ｌ４のＧ１乃至Ｇ３は防振群であり、Ｇ１乃至Ｇ３を光軸に対して垂直な方向の成分を持って移動させて、ズームレンズの全系が振動したときの撮影画像のブレを補正している。図３８は、本数値実施例の焦点距離範囲が基準状態における望遠端で防振をしない時と防振群を光軸に対し垂直方向に１．５ｍｍ偏心させた時の横収差図である。いずれの収差図も、１３ｍの物体距離に合焦しているときの横収差図である。さらに、第６レンズ群Ｌ６のＧ１３、Ｇ１４を光軸方向に可動させることで、マクロ撮影又はフランジバック調整を行うことが可能である。
【００６２】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【実施例７】
【００６３】
図３９は本発明の実施例７（数値実施例７）であるズームレンズにおいて、広角端で無限遠に合焦しているときのレンズ断面図である。図４０と図４１は、数値実施例７の焦点距離範囲が基準状態における広角端と望遠端の縦収差図、図４２と図４３は、数値実施例７の焦点距離範囲を１．３倍長焦点距離側に変位させた状態における広角端と望遠端の縦収差図である。図４４と図４５は、数値実施例７の焦点距離範囲を１．５倍長焦点距離側に変位させた状態における広角端と望遠端の縦収差図である。いずれの収差図も、１３ｍの物体距離に合焦しているときの縦収差図である。
【００６４】
図３９において、第１変倍系は、物体側から像側へ順に、正の屈折力の第１レンズ群（フォーカスレンズ群）Ｌ１を有し、広角端から望遠端へのズーミングに際して、像側へ移動するズーミング用の負の屈折力の第２レンズ群（バリエータ）Ｌ２を有している。さらに、第２レンズ群Ｌ２の移動に連動して光軸上を非直線的に移動し、ズーミングに伴う像面変動を補正する正の屈折力の第３レンズ群（コンペンセータ）Ｌ３を有している。第２変倍系は、物体側から像側へ順に、負の屈折力の第４レンズ群Ｌ４（第Ｎ１レンズ群）、焦点距離範囲を長焦点距離側に変位させるために移動する負の屈折力の第５レンズ群Ｌ５（第Ｎ２レンズ群）、正の屈折力の第６レンズ群Ｌ６（第Ｎ３レンズ群）を有している。第６レンズ群Ｌ６は、第５レンズ群Ｌ５の移動に連動して光軸上を移動する。第１変倍系と第２変倍系は、互いに独立で変倍系を構成している。
【００６５】
次に、本実施例における第１レンズ群Ｌ１から第６レンズ群Ｌ６について説明する。第１レンズ群Ｌ１は第１面から第１０面に対応する。第１レンズ群Ｌ１は、物体側から像側へ順に、フォーカシングのためには移動しない第１１レンズ群Ｌ１１と無限遠物体から近距離物体へのフォーカシングに際して物体側に繰り出すことでフォーカシングを行う第１２レンズ群Ｌ１２から構成される。第２レンズ群Ｌ２は第１１面から第１７面に対応し、凸レンズと凹レンズを含む４つのレンズより構成されている。第３レンズ群Ｌ３は第１８面から第２６面に対応し、凸レンズと凹レンズを含む５つのレンズより構成されている。
【００６６】
第４レンズ群Ｌ４は第２８面から第３１面に対応する。第４レンズ群Ｌ４は、物体側から像側へ順に、両凹レンズＧ１、物体側に凹のメニスカス凸レンズＧ２から構成される。第５レンズ群Ｌ５は第３２面から第３８面に対応する。第５レンズ群Ｌ５は、物体側から像側へ順に、両凸レンズＧ３と物体側に凸のメニスカス凹レンズＧ４と像側の凹のメニスカス凸レンズＧ５との接合レンズ、両凹レンズＧ６から構成される。第６レンズ群は、第３９面から第４８面に対応する。第６レンズ群Ｌ６は、物体側から像側へ順に、像側に凹のメニスカス凸レンズＧ７、両凹レンズＧ８と両凸レンズＧ９との接合レンズ、両凸レンズＧ１０、像側に凹のメニスカス凸レンズＧ１１で構成される。
【００６７】
本数値実施例では、第５レンズ群Ｌ５を光軸方向に移動させることで、ズームレンズの焦点距離範囲を長焦点距離側に変位させている。特に、本数値実施例では、第５レンズ群Ｌ５の移動に連動して第６レンズ群Ｌ６を光軸方向に移動させることで、ズームレンズの焦点距離範囲を、１倍から１．５倍まで間で無段階に長焦点距離化させることを可能にしている。また、第４レンズ群Ｌ４のＧ１乃至Ｇ２は防振群であり、Ｇ１乃至Ｇ２を光軸に対して垂直な方向の成分を持って移動させて、ズームレンズの全系が振動したときの撮影画像のブレを補正している。図４６は、本数値実施例の焦点距離範囲が基準状態における望遠端で防振をしない時と防振群を光軸に対し垂直方向に１．５ｍｍ偏心させた時の横収差図である。いずれの収差図も、１３ｍの物体距離に合焦しているときの横収差図である。
【００６８】
本実施例の各条件式対応値を表１に示す。本実施例は（１）〜（４）の条件式を満足しており、第２変倍系の屈折力配置やレンズ群の構成を適切に設定することにより、ズームレンズの焦点距離範囲を長焦点距離側に変位させる機能を有し、高い光学性能かつ小型であるズームレンズを達成している。
【００６９】
＜数値実施例１＞
単位 mm
面データ
i           ri        di      ndi       vdi      有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       3.00                         32.62
28       -795.130    1.40   1.88300    40.8       33.85
29         48.746    1.24                         32.70
30         33.647    4.67   1.80809    22.8       32.70
31         86.428    3.50                         31.66
32       -103.036    1.40   1.81600    46.6       30.97
33        144.571    3.00                         30.54
34       -150.404    1.20   1.92286    18.9       27.36
35       -390.707    0.21                         27.42
36         87.799    4.94   1.48749    70.2       27.42
37        -69.407  (可変)                         27.16
38        -99.927    5.77   1.53172    48.8       25.45
39        -21.877    1.00   1.91082    35.3       25.09
40        -30.678    1.57                         25.45
41        -52.501    1.00   1.88300    40.8       23.76
42         25.544    5.59   1.92286    18.9       23.44
43       -288.507    1.87                         23.23
44        -61.892    1.00   2.04976    27.1       22.98
45         70.480  (可変)                         23.22
46        199.059    5.95   1.69680    55.5       34.73
47        -61.024    2.50                         35.59
48        259.198    5.98   1.48749    70.2       36.46
49        -51.881    0.20                         36.57
50         46.102    9.84   1.43875    94.9       34.52
51        -47.605    1.50   1.85478    24.8       32.93
52       -260.698   10.00                         32.30
53          ∞      33.00   1.60859    46.4       60.00
54          ∞      13.20   1.51633    64.2       60.00
55          ∞      12.00                         60.00
像面        ∞   
非球面データ
第17面
K =-2.53234e+004  A 4=-4.13015e-007  A 6=-2.14627e-010  A 8= 2.26588e-013  
第19面
K = 5.22565e+003  A 4= 8.81676e-008  A 6= 1.58180e-012  A 8= 6.14872e-015  
第25面
K =-9.48244e+000  A 4=-7.57187e-007  A 6=-1.54476e-010  A 8= 2.42122e-014  
各種データ
ズーム比    100.00 
焦点距離       9.30   929.99    18.60  1859.99  
Fナンバー      1.85     4.90     3.70     9.80  
半画角        30.60     0.34    16.47     0.17  
像高           5.50     5.50     5.50     5.50  
レンズ全長   622.00   622.00   622.00   622.00  
BF            12.00    12.00    12.00    12.00  
d10            3.07   176.64     3.07   176.64  
d17          266.10     1.96   266.10     1.96  
d26            3.00    93.57     3.00    93.57  
d37            4.20     4.20    22.60    22.60  
d45           20.31    20.31     1.91     1.91  
入射瞳位置   124.58   11114.47   124.58   11114.47  
射出瞳位置   119.58     119.58  -170.21    -170.21  
前側主点位置 134.68   20084.02   141.28  - 6011.66  
後側主点位置   2.70    -917.99    -6.60   -1847.99  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27    -127.92        24.56        -0.31        -20.64
5   38     -26.02        17.79         9.36         -1.73
6   46      33.73        25.96         5.24        -12.52
7   53       ∞          46.20        14.58        -14.58
【００７０】
＜数値実施例２＞
単位 mm
面データ
i           ri        di      ndi       vdi      有効径
1       5434.024    6.00   1.83400    37.2      210.01
2        356.636    2.14                        202.50
3        360.442   27.02   1.43387    95.1      202.12
4       -580.457   28.08                        201.30
5        339.842   20.28   1.43387    95.1      204.28
6      -3786.156    0.25                        203.80
7        253.961   20.83   1.43387    95.1      198.55
8       2001.569    1.20                        197.27
9        216.571   12.49   1.49700    81.5      186.08
10        372.539  (可変)                        184.00
11*    -73071.610    2.20   2.00330    28.3       46.74
12         56.188    8.60                         41.64
13        -63.326    1.40   1.83400    37.2       40.46
14         62.711    8.69   1.95906    17.5       39.57
15        -66.787    1.52                         39.18
16        -51.490    1.60   1.88300    40.8       38.36
17        226.272  (可変)                         37.87
18        211.694    7.53   1.59522    67.7       61.51
19*      -243.068    0.50                         62.18
20        273.486    8.73   1.59522    67.7       62.94
21       -147.447    0.20                         63.04
22        778.098    2.50   1.84666    23.8       62.12
23        120.295    6.01   1.43875    94.9       61.22
24       1046.365  (可変)                         61.10
25        104.799    2.50   1.84666    23.8       60.83
26         76.714   11.02   1.59522    67.7       59.63
27*      -169.484  (可変)                         59.08
28(絞り)    ∞       2.00                         29.37
29       -354.247    1.40   1.83481    42.7       32.32
30         44.487    1.24                         31.25
31         30.398    4.67   1.84666    23.8       31.41
32        117.481    3.50                         30.55
33        -82.167    1.40   1.81600    46.6       29.56
34         99.048    3.00                         28.99
35         48.874    4.85   1.51633    64.1       25.62
36        -50.768    0.15                         25.24
37        -72.788    1.40   1.71736    29.5       24.77
38       1989.666  (可変)                         24.19
39        -41.728    4.99   1.53172    48.8       23.78
40        -17.319    1.00   1.88300    40.8       23.70
41        -23.904    0.20                         24.41
42        -70.842    1.00   1.91082    35.3       23.07
43         22.662    6.14   1.92286    18.9       22.58
44       -102.518    1.92                         22.32
45        -41.328    1.00   2.04976    27.1       21.86
46         60.744  (可変)                         22.16
47        137.341    9.41   1.51742    52.4       35.96
48        -45.085    1.85                         37.62
49        190.180    6.79   1.49700    81.5       38.67
50        -51.246    0.20                         38.73
51         51.955    9.25   1.43875    94.9       35.99
52        -42.120    1.50   2.00069    25.5       34.89
53       -117.044   10.00                         34.64
54          ∞      33.00   1.60859    46.4       60.00
55          ∞      13.20   1.51633    64.2       60.00
56          ∞      13.00                         60.00
像面        ∞   
非球面データ
第11面
K = 1.69407e+006  A 4= 7.95307e-007  A 6=-9.70819e-011  A 8= 2.85357e-013  
第19面
K =-1.45313e+001  A 4= 1.51572e-007  A 6= 2.29624e-011  A 8=-3.73351e-015  
第27面
K = 7.92880e+000  A 4= 4.02021e-007  A 6= 2.13607e-011  A 8= 1.56802e-014  
各種データ
ズーム比    100.00 
焦点距離       9.30   930.07    18.60   1859.99  
Fナンバー      1.86     4.65     3.72      9.30  
半画角        30.60     0.34    16.47      0.17  
像高           5.50     5.50     5.50      5.50  
レンズ全長   650.00   650.00   650.00    649.99  
BF            13.00    13.00    13.00     12.99  
d10            2.78   206.13     2.78    206.13  
d17          263.53     2.12   263.53      2.12  
d24           37.64     9.45    37.64      9.45  
d27            3.00    89.26     3.00     89.26  
d38            2.83     2.83    18.71     18.71  
d46           20.88    20.88     5.00      5.00  
入射瞳位置   133.88   13226.99   133.88   13226.99  
射出瞳位置    93.70      93.70  -335.79    -335.79  
前側主点位置 144.25   24875.67   151.49    5167.95  
後側主点位置   3.70    -917.07    -5.60   -1847.00  
ズームレンズ群データ
群  始面    焦点距離  レンズ構成長  前側主点位置  後側主点位置
1    1     268.44       118.28        68.00        -19.95
2   11     -24.98        24.01         6.61         -9.08
3   18     115.10        25.47         3.39        -13.00
4   25     121.89        13.52         3.00         -5.41
5   28    -144.68        23.61         4.18        -13.93
6   39     -22.46        16.26         7.08         -2.14
7   47      33.38        29.00         7.90        -12.29
8   54       ∞          46.20        14.58        -14.58
【００７１】
＜数値実施例３＞
単位 mm
面データ
i           ri        di      ndi       vdi      有効径
1        404.629    2.30   1.85478    24.8       77.24
2        105.179    3.61                         76.32
3        108.777   11.50   1.43875    94.9       78.09
4       -269.292    0.15                         78.20
5        111.678    9.50   1.53775    74.7       77.99
6       -982.312    0.15                         77.53
7         67.290    7.50   1.76385    48.5       72.19
8        161.936  (可変)                         71.40
9*      5000.000    1.20   1.88300    40.8       27.49
10         17.616    6.50                         22.45
11        -35.109    7.00   1.80809    22.8       22.11
12        -13.732    1.00   1.88300    40.8       22.23
13        709.372    0.15                         23.16
14         60.062    3.00   1.60342    38.0       23.51
15       -133.969  (可変)                         23.54
16*        78.483    6.31   1.60311    60.6       29.31
17        -46.489    0.30                         29.61
18        -44.453    1.00   1.80000    29.8       29.57
19       -133.060  (可変)                         30.08
20         45.097    1.00   1.85478    24.8       31.70
21         29.152    8.00   1.43875    94.9       31.03
22        -83.546    0.16                         31.09
23         66.593    6.45   1.60311    60.6       30.65
24*       -53.784  (可変)                         29.94
25(絞り)    ∞       1.75                         21.52
26        -55.700    0.80   1.81600    46.6       20.93
27         24.618    0.20                         20.09
28         20.370    6.00   1.80809    22.8       20.37
29        -44.187    1.50                         19.66
30        -29.303    0.80   1.75500    52.3       18.34
31         30.662    5.95                         17.47
32       -106.467    1.00   1.92286    18.9       17.54
33         39.036    5.72   1.58913    61.1       17.76
34        -19.434  (可変)                         18.27
35       -231.927    1.00   1.88300    40.8       17.02
36         15.709    4.36   1.80809    22.8       16.59
37         68.046    1.68                         16.39
38        -49.798    1.00   2.00100    29.1       16.41
39        393.495  (可変)                         16.76
40       -111.985    3.37   1.62041    60.3       30.33
41        -51.110    0.20                         31.51
42      -2541.019    3.53   1.51633    64.1       33.08
43        -91.131    2.00                         33.86
44         60.098    7.55   1.49700    81.5       36.38
45        -62.540    0.20                         36.45
46         41.567    9.02   1.49700    81.5       34.76
47        -57.111    1.20   1.85478    24.8       33.50
48       -345.579    5.00                         32.71
49          ∞      33.00   1.60859    46.4       40.00
50          ∞      13.20   1.51633    64.1       40.00
51          ∞       6.00                         40.00
像面        ∞   
非球面データ
第9面
K = 0.00000e+000  A 4= 6.78173e-006  A 6=-1.64418e-008  A 8= 4.33099e-011  A10=-8.06613e-014  
第16面
K = 0.00000e+000  A 4=-1.20290e-006  A 6= 3.64208e-010  A 8=-5.87647e-013  A10=-3.85828e-015  
第24面
K = 0.00000e+000  A 4= 5.44605e-006  A 6=-5.69542e-009  A 8= 1.00557e-011  A10=-2.04577e-014  
各種データ
ズーム比     20.00 
焦点距離       9.00   180.01    18.00   360.01  
Fナンバー      1.90     2.39     3.80     4.78  
半画角        31.43     1.75    16.99     0.88  
像高           5.50     5.50     5.50     5.50  
レンズ全長   298.00   298.00   298.00   298.00  
BF             6.00     6.00     6.00     6.00  
d 8            0.95    56.06     0.95    56.06  
d15           81.91     4.56    81.91     4.56  
d19            1.52    22.78     1.52    22.78  
d24            1.55     2.52     1.55     2.52  
d34            2.00     2.00    17.77    17.77  
d39           17.27    17.27     1.50     1.50  
入射瞳位置    45.67   1132.10    45.67   1132.10  
射出瞳位置    59.49     59.49  -309.32   -309.32  
前側主点位置  56.19   1917.83    62.64   1081.07  
後側主点位置  -3.00   -174.01   -12.00   -354.01  
ズームレンズ群データ
群  始面    焦点距離  レンズ構成長  前側主点位置  後側主点位置
1    1      81.00        34.71        17.32         -5.40
2    9     -15.10        18.85         1.26        -12.67
3   16     115.00         7.61         0.43         -4.37
4   20      35.00        15.61         6.80         -3.96
5   25     -60.72        23.73        -6.80        -31.71
6   35     -22.30         8.04         3.25         -1.74
7   40      28.56        27.06         7.62        -10.98
8   49       ∞          46.20        14.58        -14.58
【００７２】
＜数値実施例４＞
単位 mm
面データ
i           ri        di      ndi       vdi      有効径
1        359.009    4.70   1.77250    49.6      142.99
2         99.087   35.13                        123.68
3       -166.026    4.50   1.77250    49.6      122.62
4      -1358.605    0.15                        123.14
5        237.232    9.26   1.71736    29.5      123.07
6        511.569    9.56                        121.98
7      -1374.841   14.80   1.49700    81.5      120.97
8       -153.882    0.20                        120.53
9       -776.309    4.40   1.80518    25.4      113.49
10        298.186   13.12   1.49700    81.5      110.15
11       -327.968   34.74                        109.23
12        680.477   17.74   1.49700    81.5      124.00
13       -179.036    0.15                        124.74
14        219.533   12.99   1.49700    81.5      123.41
15      -1580.265    0.15                        122.72
16        126.169    9.69   1.62041    60.3      116.49
17        244.229  (可変)                        115.03
18         88.720    1.50   1.88300    40.8       42.77
19         45.850    6.07                         40.55
20       -326.193    1.50   1.77250    49.6       40.33
21        114.162    6.05                         39.87
22        -54.325    1.50   1.77250    49.6       39.90
23       -742.511    8.27   1.80809    22.8       41.78
24        -39.850    0.69                         42.65
25        -37.414    1.50   1.81600    46.6       42.56
26       -296.245  (可変)                         45.59
27       -818.587    5.05   1.49831    65.0       53.50
28*      -102.240    0.20                         54.37
29        270.496    2.50   1.64769    33.8       56.53
30         60.983   13.04   1.58913    61.2       57.88
31       -154.937    0.20                         58.50
32        177.531    9.06   1.60311    60.7       59.11
33       -111.935    2.50   1.84666    23.9       58.95
34       -246.081    0.20                         59.06
35        130.889    8.80   1.48749    70.2       58.19
36       -161.923  (可変)                         57.42
37(絞り)    ∞       2.00                         30.07
38       -125.520    1.40   1.88300    40.8       29.42
39         80.252    0.50                         28.78
40         29.650    4.67   1.92286    18.9       28.74
41         99.491    2.00                         27.73
42      -3026.600    1.00   1.92286    18.9       26.96
43         34.888    5.80   1.51633    64.1       25.67
44        -96.815  (可変)                         25.01
45       -390.434    4.23   1.92286    18.9       23.82
46        -30.603    0.80   1.77250    49.6       23.30
47         49.596    3.00                         21.78
48        -38.202    0.80   1.88300    40.8       21.72
49         21.587    9.00   1.71736    29.5       22.47
50        -29.030    5.41                         23.40
51        -26.327    1.00   2.00100    29.1       22.57
52        740.877  (可変)                         23.99
53       1454.889    7.49   1.76385    48.5       37.18
54        -40.132    7.64                         38.32
55        -83.962    4.45   1.48749    70.2       38.29
56        -41.974    0.20                         38.59
57         93.344    8.57   1.43875    94.9       36.63
58        -37.668    1.00   1.92286    20.9       35.92
59        -90.086    0.20                         36.10
60         46.984    5.01   1.48749    70.2       34.53
61        533.449   10.00                         33.63
62          ∞      33.00   1.60859    46.4       60.00
63          ∞      13.20   1.51633    64.2       60.00
64          ∞      13.00                         60.00
像面        ∞   
非球面データ
第28面
K = 0.00000e+000  A 4= 2.21807e-007  A 6= 2.81772e-010  A 8=-3.88958e-013  A10= 2.11872e-016  
各種データ
ズーム比     18.50 
焦点距離       7.20   133.20    14.40   266.40  
Fナンバー      1.60     1.85     3.20     3.70  
半画角        37.38     2.36    20.90     1.18  
像高           5.50     5.50     5.50     5.50  
レンズ全長   558.00   558.00   558.00   558.00  
BF            13.00    13.00    13.00    13.00  
d17            5.15   105.39     5.15   105.39  
d26          148.94     4.49   148.94     4.49  
d36            2.15    46.35     2.15    46.35  
d44            1.50     1.50    12.02    12.02  
d52           14.99    14.99     4.47     4.47  
入射瞳位置    96.21   505.86    96.21   505.86  
射出瞳位置    69.46    69.46   686.86   686.86  
前側主点位置 104.33   953.32   110.92   877.58  
後側主点位置   5.80  -120.20    -1.40  -253.40  
ズームレンズ群データ
群  始面    焦点距離  レンズ構成長  前側主点位置  後側主点位置
1    1     103.68       171.30       115.93         63.15
2   18     -29.50        27.07         8.01        -11.83
3   27      52.50        41.54        15.18        -12.83
4   37    -506.28        17.37        13.38          1.13
5   45     -14.88        24.24         8.77         -5.91
6   53      31.31        34.56        12.08        -15.36
7   62       ∞          46.20        14.58        -14.58
【００７３】
＜数値実施例５＞
単位 mm
面データ
i           ri        di      ndi       vdi      有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       3.42                         32.62
28      -1650.792    1.40   1.91082    35.3       33.54
29         57.062    1.00                         32.51
30         33.200    4.67   1.80809    22.8       32.28
31         67.683    3.00                         30.97
32       -181.486    1.40   1.81600    46.6       30.43
33        131.712    2.50                         29.88
34         78.186    4.43   1.49700    81.5       26.24
35       -104.475    0.82                         25.59
36       -166.917    1.20   1.80518    25.4       24.99
37       -504.812  (可変)                         24.66
38        109.214    4.83   1.51633    64.1       23.12
39        -31.250    1.00   1.88300    40.8       22.35
40        -38.884    0.20                         22.17
41        -82.999    1.00   1.88300    40.8       21.15
42         13.533    5.64   1.92286    18.9       19.39
43         49.831    3.81                         18.56
44        -23.157    1.00   2.04976    27.1       18.23
45         82.736  (可変)                         19.23
46*       281.118    7.71   1.76385    48.5       33.89
47        -33.153    2.00                         35.18
48         76.120    1.00   1.85478    24.8       36.60
49         31.385    8.18   1.49700    81.5       35.95
50       -405.633    0.20                         36.29
51        291.033    4.00   1.51633    64.1       36.51
52        -78.755  (可変)                         36.62
53       -216.793    6.03   1.53172    48.8       35.26
54        -35.103    0.20                         35.22
55        -45.533    1.00   1.88300    40.8       33.90
56        -69.742   10.00                         33.94
57          ∞      33.00   1.60859    46.4       60.00
58          ∞      13.20   1.51633    64.2       60.00
59          ∞      12.00                         60.00
像面        ∞   
非球面データ
第17面
K =-2.53234e+004  A 4=-4.13015e-007  A 6=-2.14627e-010  A 8= 2.26588e-013  
第19面
K = 5.22565e+003  A 4= 8.81676e-008  A 6= 1.58180e-012  A 8= 6.14872e-015  
第25面
K =-9.48244e+000  A 4=-7.57187e-007  A 6=-1.54476e-010  A 8= 2.42122e-014  
第46面
K = 0.00000e+000  A 4=-2.76561e-006  A 6= 4.54960e-008  A 8=-2.93127e-011  A10= 5.58575e-014  A12=-1.11726e-016  
A 5=-4.65406e-007  A 7=-1.28256e-009  A 9= 9.09704e-013  A11= 9.64150e-016  
各種データ
ズーム比    100.00 
焦点距離       9.30   930.01    18.60   1860.01    26.04   2603.98  
Fナンバー      1.85     4.90     3.70      9.80     5.18     13.72  
半画角        30.60     0.34    16.47      0.17    11.93      0.12  
像高           5.50     5.50     5.50      5.50     5.50      5.50  
レンズ全長   629.00   629.00   629.01    629.01   629.00    629.00  
BF            12.00    12.00    12.00     12.00    12.00     12.00  
d10            3.07   176.64     3.07    176.64     3.07    176.64  
d17          266.10     1.96   266.10      1.96   266.10      1.96  
d26            3.00    93.57     3.00     93.57     3.00     93.57  
d37            2.78     2.78    18.68     18.68    21.67     21.67  
d45           15.77    15.77     8.02      8.02     1.49      1.49  
d52            9.63     9.63     1.49      1.49     5.01      5.01  
入射瞳位置   124.58   11114.47   124.58   11114.47   124.58   11114.47  
射出瞳位置    79.76      79.76   755.68     755.68  -188.14    -188.14  
前側主点位置 135.15   24808.70   143.64   17626.51   147.23  -20160.86  
後側主点位置   2.70    -918.01    -6.60   -1848.00   -14.04   -2591.98  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27    -161.97        23.85         5.78        -12.86
5   38     -14.70        17.48        11.80         -0.31
6   46      30.76        23.09         6.81         -9.26
7   53     163.12         7.23         6.33          1.74
8   57       ∞          46.20        14.58        -14.58
【００７４】
＜数値実施例６＞
単位 mm
面データ
i           ri        di      ndi       vdi      有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       4.78                         32.62
28       -575.099    1.40   1.91082    35.3       32.78
29         58.997    1.00                         31.81
30         34.806    3.59   1.80809    22.8       31.61
31         62.262    3.00                         30.69
32       -397.914    1.40   1.75500    52.3       30.16
33        527.379  (可変)                         26.78
34      13421.777    3.71   1.51742    52.4       25.14
35        -47.212    1.00   1.88300    40.8       24.68
36        -63.046    0.20                         24.58
37       -232.168    1.00   1.88300    40.8       24.02
38         19.758    5.39   1.92286    18.9       22.96
39         83.875    3.31                         22.36
40        -40.783    1.00   2.04976    27.1       22.14
41         96.509  (可変)                         22.74
42*        71.843    6.54   1.65160    58.5       33.36
43        -64.417    7.17                         33.96
44       -344.118    1.00   1.88300    40.8       34.31
45         59.510    7.81   1.49700    81.5       34.58
46        -50.291    0.20                         35.10
47       -303.561    4.08   1.51633    64.1       35.12
48        -61.151  (可変)                         35.21
49         85.500    7.26   1.43875    94.9       31.97
50        -35.921    0.20                         31.62
51        -36.849    1.20   1.83400    37.2       31.33
52        -56.357   10.00                         31.49
53          ∞      33.00   1.60859    46.4       60.00
54          ∞      13.20   1.51633    64.2       60.00
55          ∞      12.00                         60.00
像面        ∞   
非球面データ
第17面
K =-2.53234e+004  A 4=-4.13015e-007  A 6=-2.14627e-010  A 8= 2.26588e-013  
第19面
K = 5.22565e+003  A 4= 8.81676e-008  A 6= 1.58180e-012  A 8= 6.14872e-015  
第25面
K =-9.48244e+000  A 4=-7.57187e-007  A 6=-1.54476e-010  A 8= 2.42122e-014  
第42面
K = 0.00000e+000  A 4=-1.12695e-006  A 6= 7.98419e-008  A 8=-1.43675e-010  A10= 3.12705e-014  A12=-1.28269e-015  
A 5=-8.18010e-007  A 7=-1.08788e-009  A 9= 6.95331e-014  A11= 3.44801e-014  
各種データ
ズーム比    100.00 
焦点距離       9.30   930.00    13.02   1302.00    18.60   1860.00  
Fナンバー      1.85     4.90     2.59      6.86     3.70      9.80  
半画角        30.60     0.34    22.90      0.24    16.47      0.17  
像高           5.50     5.50     5.50      5.50     5.50      5.50  
レンズ全長   629.00   629.00   629.00    629.00   629.00    629.00  
BF            12.00    12.00    12.00     12.00    12.00     12.00  
d10            3.07   176.64     3.07    176.64     3.07    176.64  
d17          266.10     1.96   266.10      1.96   266.10      1.96  
d26            3.00    93.57     3.00     93.57     3.00     93.57  
d33            5.00     5.00    20.66     20.66    28.78     28.78  
d41           14.59    14.59     9.80      9.80     1.50      1.50  
d48           14.00    14.00     3.12      3.12     3.30      3.30  
入射瞳位置   124.58   11114.47   124.58   11114.47    124.58   11114.47  
射出瞳位置   106.07     106.07   149.03     149.03  -2892.45   -2892.45  
前側主点位置 134.79   21238.48   138.83   24787.79    143.06   11783.33  
後側主点位置   2.70    -918.00    -1.02   -1290.00     -6.60   -1848.00  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27    -101.19        15.16         9.04         -3.14
5   34     -22.97        15.61         9.77         -0.55
6   42      42.29        26.80        10.23        -12.30
7   49     105.62         8.66         3.25         -2.75
8   53       ∞          46.20        14.58        -14.58
【００７５】
＜数値実施例７＞
単位 mm
面データ
i           ri       di      ndi       vdi      有効径
1       7000.000    6.00   1.83400    37.2      195.69
2        345.379    2.00                        189.57
3        345.379   25.91   1.43387    95.1      190.61
4       -527.375   20.74                        191.16
5        331.921   18.73   1.43387    95.1      193.34
6      -4082.422    0.25                        192.86
7        264.903   19.29   1.43387    95.1      188.46
8       3887.712    0.25                        187.25
9        171.964   16.12   1.43875    94.9      174.67
10        367.798  (可変)                        172.80
11       1547.347    2.00   2.00330    28.3       42.77
12         43.466    8.24                         37.79
13        -55.129    2.00   1.88300    40.8       37.77
14         63.246    9.63   1.92286    18.9       41.36
15        -66.171    1.02                         42.37
16        -59.413    2.00   1.77250    49.6       42.43
17*      2736.384  (可変)                         44.72
18        108.766   12.13   1.56907    71.3       81.41
19*     -3543.181    0.20                         81.81
20        100.674   13.34   1.49700    81.5       83.34
21       -613.181    0.20                         82.78
22        103.700    2.50   1.84666    23.8       79.37
23         60.132   20.33   1.43875    94.9       74.98
24       -268.844    0.20                         73.52
25*       201.189    5.73   1.43875    94.9       71.02
26       -889.802  (可変)                         69.63
27(絞り)    ∞       3.96                         32.62
28       -192.055    1.40   1.91082    35.3       33.54
29         62.674    0.30                         32.67
30         38.939    3.45   1.80809    22.8       32.67
31         74.580  (可変)                         31.97
32        453.715    3.30   1.58144    40.8       26.72
33        -81.444    0.20                         26.25
34        272.517    1.00   1.77250    49.6       25.32
35         20.147    4.65   1.84666    23.8       23.66
36         42.365    5.04                         22.70
37        -36.731    1.00   1.88300    40.8       22.19
38        134.786  (可変)                         22.67
39*        28.095    7.06   1.65160    58.5       31.77
40         84.875   15.00                         30.94
41      -4312.302    1.00   1.88300    40.8       29.45
42         28.518    8.23   1.49700    81.5       29.17
43        -54.698    0.20                         29.71
44        109.128    4.19   1.49700    81.5       30.52
45       -107.513    0.20                         30.73
46         39.940    5.01   1.48749    70.2       30.80
47       1540.146  (可変)                         30.28
48          ∞      33.00   1.60859    46.4       60.00
49          ∞      13.20   1.51633    64.2       60.00
50          ∞      12.00                         60.00
像面        ∞   
非球面データ
第17面
K =-2.53234e+004  A 4=-4.13015e-007  A 6=-2.14627e-010  A 8= 2.26588e-013  
第19面
K = 5.22565e+003  A 4= 8.81676e-008  A 6= 1.58180e-012  A 8= 6.14872e-015  
第25面
K =-9.48244e+000  A 4=-7.57187e-007  A 6=-1.54476e-010  A 8= 2.42122e-014  
第39面
K = 0.00000e+000  A 4=-3.23335e-006  A 6=-7.97706e-009  A 8=-4.52384e-011  A10=-2.84828e-013  A12=-3.59470e-015  
A 5=-3.62512e-007  A 7= 4.28236e-009  A 9=-2.02499e-011  A11= 1.20128e-013  
各種データ
ズーム比    150.00 
焦点距離       9.30   930.00    12.09   1209.00    13.95   1395.00  
Fナンバー      1.85     4.90     2.41      6.37     2.78      7.35  
半画角        30.60     0.34    24.46      0.26    21.52      0.23  
像高           5.50     5.50     5.50      5.50     5.50      5.50  
レンズ全長   618.56   618.56   618.56    618.56   618.56    618.56  
BF            12.00    12.00    12.00     12.00    12.00     12.00  
d10            3.07   176.64     3.07    176.64     3.07    176.64  
d17          266.10     1.96   266.10      1.96   266.10      1.96  
d26            3.00    93.57     3.00     93.57     3.00     93.57  
d31            7.92     7.92    12.57     12.57    13.60     13.60  
d38           16.26    16.26     6.93      6.93     1.50      1.50  
d47           10.00    10.00    14.67     14.67    19.08     19.08  
入射瞳位置   124.58   11114.47   124.58   11114.47    124.58   11114.47  
射出瞳位置   109.73     109.73   353.16     353.16  -1761.93   -1761.93  
前側主点位置 134.76   20894.11   137.09   16607.88    138.42   11412.45  
後側主点位置   2.70    -918.00    -0.09   -1197.00     -1.95   -1383.00  
ズームレンズ群データ
群  始面    焦点距離  レンズ構成長  前側主点位置  後側主点位置
1    1     238.05       109.29        59.18        -20.74
2   11     -25.00        24.89         4.19        -12.46
3   18      66.50        54.63        13.57        -26.05
4   27    -107.45         9.11         6.20         -0.65
5   32     -29.38        15.20        11.95          0.40
6   39      40.14        40.89        22.78        -21.19
7   48       ∞          46.20        14.58        -14.58
【００７６】
【表１】
2016109952.tif 000004
【００７７】
（撮像装置）
図４７は各実施例のズームレンズを撮影光学系として用いた撮像装置（テレビカメラシステム）の概略図である。図４７において１０１は実施例１〜７のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、第２変倍系のＬＺ２を有している。第１レンズ群Ｆは合焦用レンズ群が含まれている。変倍部ＬＺはズーミングに際して光軸上を移動する第２レンズ群と、ズーミングに伴う像面変動を補正するために光軸上を移動する第３レンズ群が含まれている。ＳＰは開口絞りである。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１群Ｆや変倍部ＬＺの光軸上の位置や、開口絞りＳＰの絞り径を検出するためのエンコーダやポテンショメータ、あるいはフォトセンサ等の検出器である。第２変倍系ＬＺ２は第４レンズ群、ズームレンズの焦点距離範囲を長焦点距離側に変位させるために移動する第５レンズ群、第６レンズ群が含まれている。１２６は、第５レンズ群を光軸方向に駆動するヘリコイドやカム等の駆動機構である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００７８】
このように、本発明のズームレンズをテレビカメラに適用することにより、焦点距離範囲を長焦点距離側に変位させる機能を有し、高い光学性能かつ小型であるズームレンズを備える、高い光学性能を有する撮像装置を実現している。
【００７９】
以上、本発明の好ましい実施形態について説明したが、本発明はこれらの実施形態に限定されず、その要旨の範囲内で種々の変形及び変更が可能である。
【符号の説明】
【００８０】
Ｌ１      第１レンズ群
Ｌ２      第２レンズ群
Ｌ３      第３レンズ群
Ｌ４      第４レンズ群
Ｌ５      第５レンズ群
Ｌ６      第６レンズ群
Ｌ７      第７レンズ群
ＳＰ      絞り
【図１】
2016109952.tif 000005
【図２】
2016109952.tif 000006
【図３】
2016109952.tif 000007
【図４】
2016109952.tif 000008
【図５】
2016109952.tif 000009
【図６】
2016109952.tif 000010
【図７】
2016109952.tif 000011
【図８】
2016109952.tif 000012
【図９】
2016109952.tif 000013
【図１０】
2016109952.tif 000014
【図１１】
2016109952.tif 000015
【図１２】
2016109952.tif 000016
【図１３】
2016109952.tif 000017
【図１４】
2016109952.tif 000018
【図１５】
2016109952.tif 000019
【図１６】
2016109952.tif 000020
【図１７】
2016109952.tif 000021
【図１８】
2016109952.tif 000022
【図１９】
2016109952.tif 000023
【図２０】
2016109952.tif 000024
【図２１】
2016109952.tif 000025
【図２２】
2016109952.tif 000026
【図２３】
2016109952.tif 000027
【図２４】
2016109952.tif 000028
【図２５】
2016109952.tif 000029
【図２６】
2016109952.tif 000030
【図２７】
2016109952.tif 000031
【図２８】
2016109952.tif 000032
【図２９】
2016109952.tif 000033
【図３０】
2016109952.tif 000034
【図３１】
2016109952.tif 000035
【図３２】
2016109952.tif 000036
【図３３】
2016109952.tif 000037
【図３４】
2016109952.tif 000038
【図３５】
2016109952.tif 000039
【図３６】
2016109952.tif 000040
【図３７】
2016109952.tif 000041
【図３８】
2016109952.tif 000042
【図３９】
2016109952.tif 000043
【図４０】
2016109952.tif 000044
【図４１】
2016109952.tif 000045
【図４２】
2016109952.tif 000046
【図４３】
2016109952.tif 000047
【図４４】
2016109952.tif 000048
【図４５】
2016109952.tif 000049
【図４６】
2016109952.tif 000050
【図４７】
2016109952.tif 000051
【図４８】
2016109952.tif 000052